(57)【要約】【課題】遊技板固定機構に滞留した遊技球を容易に取り除くことが可能な遊技機の提供を目的とする。【解決手段】本発明のパチンコ遊技機１０は、機構受容部７３内で起立したガイド支柱１０２に昇降ベース１０８が上下動可能に嵌合され、ガイド支柱１０２のうち昇降ベース１０８の下方にコイルバネ１０３が遊嵌されて、コイルバネ１０３が昇降ベース１０８を可倒式係止レバー１１０に押し付けている。可倒式係止レバー１１０が係止端位置から解除端位置へと回動する動作に連動して昇降ベース１０４が機構受容部７３内で上昇し、その昇降ベース１０４から機構受容部７３の上面開口に向かって球押上部１０８が起立している。そして、球押上部１０８が上昇することで球押上部１０８の上方に滞留した遊技球が持ち上げられる。【選択図】図２３
2011010774.tif 000002
【特許請求の範囲】
【請求項１】
遊技板が嵌め込まれた遊技板嵌合部を有する遊技板収容枠と、
前記遊技板収容枠における前記遊技板嵌合部の開口縁に設けられて、前記遊技板を前記遊技板嵌合部内に抜け止めする固定状態と、前記遊技板を前記遊技板嵌合部から離脱可能とする固定解除状態とに変更可能な遊技板固定機構とを備えた遊技機において、
前記前記遊技板固定機構のうち遊技球が滞留し得る球滞留部の下方に設けられ、前記遊技板固定機構が前記固定解除状態から前記固定状態へと変化する動作に連動して前記球滞留部に滞留した遊技球を押し上げ可能な球押上部を備えたことを特徴とする遊技機。
【請求項２】
前記球押上部は、前記球滞留部に滞留した遊技球を押し上げることで、押し上げられた前記遊技球の少なくとも一部を前記球滞留部の外側もしくは前記遊技板固定機構の外側へと押し出し可能であることを特徴とする請求項１に記載の遊技機。
【請求項３】
前記遊技板固定機構は、係止端位置と解除端位置との間で回動し、前記係止端位置に配置されたときに前記遊技板の板厚方向における一板面に対向して前記遊技板を前記遊技板嵌合部内に抜け止めする一方、前記解除端位置に配置されたときに前記遊技板の前記遊技板嵌合部への着脱を許容する回動係止部材と、
前記回動係止部材が前記解除端位置側から前記係止端位置側へと回動する動作を、前記球押上部の上方への直線移動に変換する動作変換機構とを備えたことを特徴とする請求項１又は２に記載の遊技機。
【請求項４】
前記遊技板固定機構は、前記遊技板嵌合部の下辺側の開口縁に陥没形成された機構受容部に収容され、
前記回動係止部材は、前記遊技板の下縁部を板厚方向で挟持可能な１対の板挟持部を有した凹状形状部を対にして左右方向に対向配置して備えると共に、前記各凹状形状部のうち前記１対の板挟持部の下端部間を連絡する連絡部を貫通した回動中心シャフトによって回動可能に支持され、
前記球押上部は、前記１対の凹状形状部の間に配置されて、前記機構受容部の上面開口に下方から臨んでおり、前記回動係止部材が前記解除端位置側から前記係止端位置側へと変化する動作に連動して前記機構受容部内を前記機構受容部の上面開口に向かって上昇するように構成したことを特徴とする請求項３に記載の遊技機。
【請求項５】
前記回動係止部材が前記係止端位置に位置する場合、前記各凹状形状部における前記連絡部の上縁が、前記機構受容部の上面開口における左右１対の横開口縁及び前記球押上部の上端より下方に位置して、前記横開口縁と前記球押上部とで遊技球を支持し得る状態となり、
前記回動係止部材を前記係止端位置から前記解除端位置に向けて回動させた場合に、前記横開口縁と前記球押上部とで支持された遊技球が、前記横開口縁に沿って移動し、両方の前記凹状形状部のうち、前記係止端位置において前記遊技板の一板面に対向する前記板挟持部側に移動するようにしたことを特徴とする請求項４に記載の遊技機。
【請求項６】
前記球押上部は板厚方向が前後方向を向いた突片構造をなし、上端縁が左右方向の中央から両側に向かって下るように傾斜したことを特徴とする請求項４又は５に記載の遊技機。
【請求項７】
前記回動係止部材が前記係止端位置に位置する場合、前記球押上部の上端は前記機構受容部の上面開口より下方に位置することを特徴とする請求項４乃至６の何れか１項に記載の遊技機。
【請求項８】
前記動作変換機構は、前記回動係止部材の下方に配置されて上下動可能な昇降ベースと、
前記昇降ベースの下方に配置され前記昇降ベースを前記回動係止部材に押し付ける付勢部材とを備え、
前記回動係止部材が前記解除端位置から前記係止端位置に向かって回動する動作に伴って前記昇降ベースが上昇して、前記付勢部材の弾性変形量が小さくなるようにすると共に、前記遊技板を前記遊技板収容枠から離脱させた状態では、任意の回動位置の前記回動係止部材を前記付勢部材の弾発力によって前記係止端位置に移動させるように構成し、
前記球押上部を前記昇降ベースから起立させたことを特徴とする請求項３乃至７の何れか１項に記載の遊技機。
【請求項９】
前記回動係止部材のうち、前記昇降ベースが押し付けられる下縁は、前記回動係止部材の回動軸を中心とした円弧部と、前記円弧部と連続した平坦部と、前記円弧部と前記平坦部とが交差してなる角部とを有し、
前記回動係止部材の回動軸から前記平坦部に延ばした垂線より前記円弧部の半径の方が長くなるように構成し、
前記係止端位置では前記平坦部が前記昇降ベースと当接し、
前記解除端位置では前記円弧部が前記昇降ベースと当接し、
前記係止端位置から前記解除端位置に向かって回動する動作に伴い前記角部が前記昇降ベースと摺接して前記昇降ベースを押し下げるように構成したことを特徴とする請求項８に記載の遊技機。
【請求項１０】
前記回動係止部材を前記解除端位置から前記係止端位置に変化させたときに、前記球押上部が前記遊技球を押し上げかつ跳ね上げるように構成したことを特徴とする請求項３乃至９の何れか１項に記載の遊技機。
【請求項１１】
前記球押上部が前記球滞留部に滞留した遊技球を押し上げた場合、押し上げていない場合よりも前記遊技球の上部が露出されるようにしたことを特徴とする請求項１乃至１０の何れか１項に記載の遊技機。
【発明の詳細な説明】
【技術分野】
【０００１】
本発明は、遊技板嵌合部を有する遊技板収容枠と、遊技板嵌合部内に遊技板を抜け止めする遊技板固定機構とを備えた遊技機に関する。
【背景技術】
【０００２】
従来、この種の遊技機として、遊技板嵌合部の下辺側の開口縁に遊技板固定機構を配設したものが知られている（例えば、特許文献１参照）。
【先行技術文献】
【特許文献】
【０００３】
【特許文献１】特開２００５−１６８６７９号公報（段落［００１７］〜［００１９］、第３図）
【発明の概要】
【発明が解決しようとする課題】
【０００４】
ところで、上述した従来の遊技機では、例えば、遊技板収容枠から遊技板を離脱させる際に、遊技板に残っていた遊技球がこぼれ落ちて遊技板固定機構に滞留し、その遊技球を取り除く作業に手間がかかるという問題があった。
【０００５】
本発明は、上記事情に鑑みてなされたもので、遊技板固定機構に滞留した遊技球を容易に取り除くことが可能な遊技機の提供を目的とする。
【課題を解決するための手段】
【０００６】
上記目的を達成するためになされた請求項１の発明に係る遊技機は、遊技板が嵌め込まれた遊技板嵌合部を有する遊技板収容枠と、遊技板収容枠における遊技板嵌合部の開口縁に設けられて、遊技板を遊技板嵌合部内に抜け止めする固定状態と、遊技板を遊技板嵌合部から離脱可能とする固定解除状態とに変更可能な遊技板固定機構とを備えた遊技機において、遊技板固定機構のうち遊技球が滞留し得る球滞留部の下方に設けられ、遊技板固定機構が固定解除状態から固定状態へと変化する動作に連動して球滞留部に滞留した遊技球を押し上げ可能な球押上部を備えたところに特徴を有する。
【０００７】
請求項２の発明は、請求項１に記載の遊技機において、球押上部は、球滞留部に滞留した遊技球を押し上げることで、押し上げられた遊技球の少なくとも一部を球滞留部の外側もしくは遊技板固定機構の外側へと押し出し可能であるところに特徴を有する。なお、請求項２の発明は、具体的には、以下の構成によって実現される。
【０００８】
請求項３の発明は、請求項１又は２に記載の遊技機において、遊技板固定機構は、係止端位置と解除端位置との間で回動し、係止端位置に配置されたときに遊技板の板厚方向における一板面に対向して遊技板を遊技板嵌合部内に抜け止めする一方、解除端位置に配置されたときに遊技板の遊技板嵌合部への着脱を許容する回動係止部材と、回動係止部材が解除端位置側から係止端位置側へと回動する動作を、球押上部の上方への直線移動に変換する動作変換機構とを備えたところに特徴を有する。
【０００９】
請求項４の発明は、請求項３に記載の遊技機において、遊技板固定機構は、遊技板嵌合部の下辺側の開口縁に陥没形成された機構受容部に収容され、回動係止部材は、遊技板の下縁部を板厚方向で挟持可能な１対の板挟持部を有した凹状形状部を対にして左右方向に対向配置して備えると共に、各凹状形状部のうち１対の板挟持部の下端部間を連絡する連絡部を貫通した回動中心シャフトによって回動可能に支持され、球押上部は、１対の凹状形状部の間に配置されて、機構受容部の上面開口に下方から臨んでおり、回動係止部材が解除端位置側から係止端位置側へと変化する動作に連動して機構受容部内を機構受容部の上面開口に向かって上昇するように構成したところに特徴を有する。なお、本発明における「凹状形状」には、「Ｕ字形状」や「Ｖ字形状」が含まれる。
【００１０】
請求項５の発明は、請求項４に記載の遊技機において、回動係止部材が係止端位置に位置する場合、各凹状形状部における連絡部の上縁が、機構受容部の上面開口における左右１対の横開口縁及び球押上部の上端より下方に位置して、横開口縁と球押上部とで遊技球を支持し得る状態となり、回動係止部材を係止端位置から解除端位置に向けて回動させた場合に、横開口縁と球押上部とで支持された遊技球が、横開口縁に沿って移動し、両方の凹状形状部のうち、係止端位置において遊技板の一板面に対向する板挟持部側に移動するようにしたところに特徴を有する。
【００１１】
請求項６の発明は、請求項４又は５に記載の遊技機において、球押上部は板厚方向が前後方向を向いた突片構造をなし、上端縁が左右方向の中央から両側に向かって下るように傾斜したところに特徴を有する。
【００１２】
請求項７の発明は、請求項４乃至６の何れか１項に記載の遊技機において、回動係止部材が係止端位置に位置する場合、球押上部の上端は機構受容部の上面開口より下方に位置するところに特徴を有する。
【００１３】
請求項８の発明は、請求項３乃至７の何れか１項に記載の遊技機において、動作変換機構は、回動係止部材の下方に配置されて上下動可能な昇降ベースと、昇降ベースの下方に配置され昇降ベースを回動係止部材に押し付ける付勢部材とを備え、回動係止部材が解除端位置から係止端位置に向かって回動する動作に伴って昇降ベースが上昇して、付勢部材の弾性変形量が小さくなるようにすると共に、遊技板を遊技板収容枠から離脱させた状態では、任意の回動位置の回動係止部材を付勢部材の弾発力によって係止端位置に移動させるように構成し、球押上部を昇降ベースから起立させたところに特徴を有する。
【００１４】
請求項９の発明は、請求項８に記載の遊技機において、回動係止部材のうち、昇降ベースが押し付けられる下縁は、回動係止部材の回動軸を中心とした円弧部と、円弧部と連続した平坦部と、円弧部と平坦部とが交差してなる角部とを有し、回動係止部材の回動軸から平坦部に延ばした垂線より円弧部の半径の方が長くなるように構成し、係止端位置では平坦部が昇降ベースと当接し、解除端位置では円弧部が昇降ベースと当接し、係止端位置から解除端位置に向かって回動する動作に伴い角部が昇降ベースと摺接して昇降ベースを押し下げるように構成したところに特徴を有する。
【００１５】
請求項１０の発明は、請求項３乃至９の何れか１項に記載の遊技機において、回動係止部材を解除端位置から係止端位置に変化させたときに、球押上部が遊技球を押し上げかつ跳ね上げるように構成したところに特徴を有する。
【００１６】
請求項１１の発明は、請求項１乃至１０の何れか１項に記載の遊技機において、球押上部が球滞留部に滞留した遊技球を押し上げた場合、押し上げていない場合よりも遊技球の上部が露出されるようにしたところに特徴を有する。
【発明の効果】
【００１７】
［請求項１の発明］
上記のように構成した請求項１に係る発明によれば、遊技板固定機構が固定解除状態から固定状態へと変化する動作に連動して球押上部が遊技板固定機構における球滞留部に滞留した遊技球を上方に押し上げるので、遊技球を容易に取り除くことが可能となる。
【００１８】
［請求項２の発明］
請求項２の発明によれば、球押上部に押し上げられた遊技球の少なくとも一部が球滞留部の外側もしくは遊技板固定機構の外側へと押し出されるので、遊技球をさらに容易に取り除くことができる。
【００１９】
［請求項３の発明］
請求項３の発明によれば、回動係止部材が解除端位置側から係止端位置側へと回動する動作に連動して、球押上部を上方に移動させ、球滞留部の遊技球を押し上げることができる。
【００２０】
［請求項４の発明］
請求項４の発明によれば、回動係止部材を解除端位置から係止端位置に変化させると、球押上部が左右１対の凹状形状部の間で機構受容部の上面開口に向かって上昇し、１対の凹状形状部の間に滞留した遊技球を上方に押し上げることができる。
【００２１】
［請求項５の発明］
請求項５の発明によれば、遊技板固定機構の中で遊技球を前後方向に移動させることができる。具体的には、回動係止部材を係止端位置から解除端位置に変化させると、機構受容部の上面開口における横開口縁と球押上部とで支持された遊技球が、横開口縁に沿って移動し、両方の凹状形状部のうち、係止端位置において遊技板の一板面に対向する板挟持部側に移動する。
【００２２】
［請求項６の発明］
請求項６の発明によれば、滞留した遊技球を球押上部が押し上げる際に、機構受容部の上面開口における左右何れか一方の横開口縁側に遊技球を確実に移動させることができる。遊技球が左右の一方の横開口縁側に偏在するので、さらに容易に遊技球を取り除くことが可能となる。
【００２３】
［請求項７の発明］
請求項７の発明によれば、係止端位置において球押上部が機構受容部の上面開口より下側に位置するので、遊技板嵌合部に遊技板を嵌め込む際に球押上部と遊技板とが干渉することがなく、スムーズに遊技板を嵌め込むことが可能となる。
【００２４】
［請求項８の発明］
請求項８の発明によれば、遊技板を離脱させた状態では、付勢部材の弾発力により、任意の回動位置の回動係止部材を、係止端位置に移動させることができる。また、この付勢部材の弾発力により、回動係止部材が係止端位置に向かって回動する際に、球押上部を上昇させることができる。即ち、１つの付勢部材によって、回動係止部材と球押上部とをそれぞれ付勢することができ、部品の兼用化を図ることができる。
【００２５】
［請求項９の発明］
請求項９の発明によれば、回動係止部材を解除端位置から係止端位置に切り換える場合には、昇降ベースを下方に押し下げることがないので、比較的小さい操作力で係止端位置に切り換えることができる。これに対し、係止端位置から解除端位置に切り換える場合には、昇降ベースを付勢部材の弾発力に抗して押し下げる必要があるので、比較的大きな操作力が必要になる。即ち、解除端位置から係止端位置への切り替えを容易としつつ、係止端位置から解除端位置への切り替えが意図せず起きないようにすることができる。
【００２６】
［請求項１０の発明］
請求項１０の発明によれば、球押上部が遊技球を跳ね上げた場合に、その遊技球を遊技板固定機構の外側に離脱させることが可能となる。
［請求項１１の発明］
【００２７】
請求項１１の発明によれば、球滞留部に滞留した遊技球が遊技板固定機構の奥に入り込んだ場合に、球押上部が遊技球を押し上げることで、遊技球の上部が、押し上げられる前より露出するので、遊技球を取り除きやすくなる。
【図面の簡単な説明】
【００２８】
【図１】本発明の一実施形態に係るパチンコ遊技機の正面図
【図２】パチンコ遊技機の斜視図
【図３】パチンコ遊技機の背面図
【図４】パチンコ遊技機を前斜め上方から見た分解斜視図
【図５】パチンコ遊技機を後斜め上方から見た分解斜視図
【図６】ガラス扉を開放した状態のパチンコ遊技機の正面図
【図７】（Ａ）補強フレームの斜視図、（Ｂ）扉側当接部材の斜視図
【図８】遊技板及びガラス扉を離脱させた内枠及び外枠の斜視図
【図９】遊技板及びガラス扉を離脱させた内枠及び外枠の正面図
【図１０】機構受容部に受容された遊技板固定機構の（Ａ）斜視図、（Ｂ）平面図
【図１１】遊技板固定機構の（Ａ）斜視図、（Ｂ）分解斜視図
【図１２】係止端位置における遊技板固定機構の（Ａ）側面図、（Ｂ）斜視図
【図１３】解除端位置における遊技板固定機構の（Ａ）側面図、（Ｂ）斜視図
【図１４】（Ａ）一側部嵌合状態における遊技板及び内枠の平断面図、（Ｂ）完全嵌合状態における遊技板及び内枠の平断面図、
【図１５】可倒式係止レバーを係止端位置にしたときの内枠の側断面図
【図１６】可倒式係止レバーを解除端位置にしたときの内枠の側断面図
【図１７】係止端位置の可倒式係止レバーと扉側当接部材との位置関係を示す側面図
【図１８】解除端位置の可倒式係止レバーと扉側当接部材との位置関係を示す側面図
【図１９】一側部嵌合状態かつ解除端位置でガラス扉を閉鎖したときの側面図
【図２０】（Ａ）扉側当接部材と当接して係止端位置に移動する場合の可倒式係止レバーの側面図、（Ｂ）扉側当接部材と当接して解除端位置に移動する場合の可倒式係止レバーの側面図
【図２１】可倒式係止レバーの位置変化に伴う遊技球の位置変化を示す斜視図
【図２２】可倒式係止レバーの位置変化に伴う遊技球の位置変化を示す斜視図
【図２３】可倒式係止レバーの位置変化に伴う遊技球の位置変化を示す側断面図
【図２４】可倒式係止レバーの位置変化に伴う遊技球の位置変化を示す側断面図
【図２５】可倒式係止レバーの位置変化に伴う遊技球の位置変化を示す平面図
【図２６】可倒式係止レバーの位置変化に伴う遊技球の位置変化を示す平面図
【発明を実施するための形態】
【００２９】
以下、本発明を適用したパチンコ遊技機１０に係る一実施形態を、図１〜図２６に基づいて説明する。本実施形態のパチンコ遊技機１０は、図４に示すように、一般のものと同様に、遊技場の遊技島に固定される外枠８２に遊技機本体９０が着脱可能に取り付けられている。
【００３０】
外枠８２は、４つの長板８３を縦長矩形状に接合して構成されており、外枠８２のうち両側辺を構成する長板８３の下端部の間には、補強及び歪み防止用の前面板８４が差し渡され、その前面板８４の下縁部が、下辺を構成する長板８３に接合されている。
【００３１】
外枠８２のうち一方の側辺、具体的には、パチンコ遊技機１０の正面視左側の側辺には、上下両端位置にヒンジ部８５，８５が設けられている。また、外枠８２のうちヒンジ部８５と反対側の右側辺を構成する長板８３には、上下一対の係止片８６，８６が取り付けられている（図５参照）。なお、外枠８２のうちヒンジ部８５，８５を備えた左側辺の外側面には、図示しないプリペイドカードユニットが取り付けられている。
【００３２】
遊技機本体９０は、図４に示した遊技板１１に種々の部品を組み付けてなる遊技板側アッシと、同図に示した内枠７５（本発明の「遊技板収容枠」に相当する）に種々の部品を組み付けてなる内枠側アッシとの２つのアッシを組み付けてなる。
【００３３】
まずは、遊技板側アッシを構成する各部品に関して説明すると、遊技板１１は、木製の略矩形板材で構成されている。遊技板１１の前面には、図１に示すように、ガイドレール１２が取り付けられ、ガイドレール１２の内側が、遊技領域Ｒ１となっている。遊技領域Ｒ１のほぼ中央部には、表示装置１３が設けられ、表示装置１３の下方には、上始動入賞口１４Ａ、下始動入賞口１４Ｂ、大入賞口１５及びアウト口１６が、上から順に間隔を開けて並べて設けられている。遊技領域Ｒ１のうち、表示装置１３の左側方には始動ゲート１８と風車１７とが備えられ、始動入賞口１４Ａ，１４Ｂの左右両側には、一般入賞口２０、２１がガイドレール１２に沿って設けられている。さらに、これら入賞口以外に、遊技領域Ｒ１には図示しない複数の釘が起立している。なお、遊技板１１の前面は、本発明における「遊技板の板厚方向における一板面」に相当する。
【００３４】
遊技板１１の前面の各部位についてさらに詳説する。表示装置１３は、液晶モジュール（詳細には、ＴＦＴ−ＬＣＤモジュール）で構成され、遊技板１１の中央部に貫通形成された表示取付孔（図示せず）に対し、遊技板１１の後面側から取り付けられている。また表示取付孔には、遊技板１１の前面側から枠形構造の装飾枠２３（図１を参照）が取り付けられ、その装飾枠２３によって表示装置１３の周囲が囲まれている。
【００３５】
始動ゲート１８は、遊技球が潜って通過可能な門形構造をなし、通過した遊技球は、その始動ゲート１８に内蔵したゲートスイッチ（図示せず）によって検出される。この検出信号に基づいて、普通図柄表示部３８において普通図柄が変動表示される。
【００３６】
普通図柄表示部３８は、風車１７の下方に設けられている。普通図柄表示部３８は、普通図柄としての２桁の数字を表示可能な７セグメントＬＥＤ表示器で構成されている。
【００３７】
普通図柄表示部３８は、始動ゲート１８を遊技球が通過すると、２桁の数字（普通図柄）を所定期間に亘って変動表示した後、停止表示する。例えば、停止表示された２桁の数字が同じ（ゾロ目）の場合には、次述する下始動入賞口１４Ｂが開放状態になって、遊技球が入賞し易い状態になる。また、普通図柄表示部３８が変動表示している間に始動ゲート１８を通過した遊技球は、所定数（例えば、４つ）まで累積カウント（所謂「保留」）される。なお、保留数は、遊技領域Ｒ１に備えた保留数用のＬＥＤの点灯数によって遊技者に報知される。
【００３８】
上下の各始動入賞口１４Ａ，１４Ｂは、所謂、ポケット構造をなして上方に向かって開口している。各始動入賞口１４Ａ，１４Ｂに入った遊技球は、遊技板１１に設けた図示しない貫通孔を通って、遊技板１１の裏側に回収される。
【００３９】
上側に配置された上始動入賞口１４Ａの上面開口は遊技球を１つずつ受け入れる大きさになっている。一方、下側に配置された下始動入賞口１４Ｂは、上始動入賞口１４Ａの真下に配置されており、その上面開口の左右両側には可動翼１４Ｃ，１４Ｃが備えられている。これら両可動翼１４Ｃ，１４Ｃは、常には起立状態になっており、両可動翼１４Ｃ，１４Ｃに挟まれた下始動入賞口１４Ｂの開口幅も、遊技球を１つずつ受け入れる大きさになっている。また、下始動入賞口１４Ｂの上方空間は、常には、上始動入賞口１４Ａを構成する部材と起立状態の可動翼１４Ｃ，１４Ｃとで囲まれて、遊技球が入らないようになっている。
【００４０】
これに対し、普通図柄表示部３８の２桁の数字がゾロ目で停止表示して開放条件が成立すると、下始動入賞口１４Ｂが開放状態となる。即ち、遊技板１１の裏に設けたソレノイド（図示せず）により、下始動入賞口１４Ｂに備えた可動翼１４Ｃ，１４Ｃが所定期間（例えば、０．５秒間）に亘って左右に倒される。可動翼１４Ｃ，１４Ｃが左右に倒れると、その倒れた可動翼１４Ｃ，１４Ｃに案内されて遊技球が下始動入賞口１４Ｂに入賞可能となる。
【００４１】
上下の始動入賞口１４Ａ，１４Ｂの何れかに遊技球が入賞すると、各始動入賞口１４Ａ，１４Ｂ内に設けたセンサがその遊技球を検出し、その検出信号に基づいて、所定数の賞球が上皿２７Ａに払い出される。また、各始動入賞口１４Ａ，１４Ｂに遊技球が入賞すると、「大当たり遊技」を行うか否かを決定する当否判定の権利が発生し、その当否判定結果が表示装置１３によって遊技者に報知される。
【００４２】
具体的には、表示装置１３には、通常、３つの左、中、右の特別図柄１３Ａ，１３Ｂ，１３Ｃが横並びに表示されている。これら各特別図柄は、例えば、「０」〜「９」の数字を表記した複数種類のもので構成されており、通常は、各特別図柄１３Ａ，１３Ｂ，１３Ｃごと、所定の種類のものが停止表示されている。そして、両始動入賞口１４Ａ，１４Ｂの何れかに遊技球が入賞したときに、これら３つの特別図柄１３Ａ，１３Ｂ，１３Ｃが、変動表示（上下方向にスクロール表示）され、所定時間後に、例えば、左、中、右の順で各特別図柄１３Ａ，１３Ｂ，１３Ｃが停止表示される。このとき、例えば、全ての特別図柄１３Ａ，１３Ｂ，１３Ｃが同じ図柄、即ち、ゾロ目になった場合に、遊技が「通常遊技」から「大当たり遊技」に移行する。また、最後に停止される特別図柄だけを残して、残りの二つの特別図柄が同一の図柄で停止した場合に、遊技が「リーチ状態」になる。
【００４３】
ここで、表示装置１３にて特別図柄１３Ａ，１３Ｂ，１３Ｃが変動表示している最中又は「大当たり遊技」の最中に各始動入賞口１４Ａ，１４Ｂに入賞した遊技球の数は、所定の限度数まで累積カウント（所謂「保留」）され、特別図柄１３Ａ，１３Ｂ，１３Ｃが外れの図柄組み合わせで停止表示又は「大当たり遊技」が終了すると、その保留記憶に基づいて再び、特別図柄１３Ａ，１３Ｂ，１３Ｃの変動表示が開始される。なお、保留数は、遊技領域Ｒ１に備えた保留数用のＬＥＤの点灯数によって遊技者に報知される。
【００４４】
大入賞口１５は、遊技板１１の前面に開放して横長形状をなしており、常には、可動扉１５Ｔにて閉塞されている。そして、上記したように特別図柄がゾロ目で停止表示した場合に、可動扉１５Ｔが前側に倒れて大入賞口１５が開放し、可動扉１５Ｔをガイドにして大入賞口１５に遊技球が入賞可能になる。
【００４５】
ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入賞したか、の何れかの終了条件が先に満たされた場合に終了する。また、「大当たり遊技」は、最大で、例えば１５ラウンドまで継続される。
【００４６】
大入賞口１５の内部には、図示しないが継続入賞口と計数入賞口とが設けられている。可動扉１５Ｔが開いたときには、継続入賞口は開放しており、継続入賞口に入賞すると継続入賞口が閉鎖される一方、計数入賞口は開放されたままとなる。継続入賞口内に設けた特定領域センサ（図示せず）が遊技球の入賞を検出すると、前述した終了条件を満たしてラウンドが終了した後で、連続して次のラウンドが実行される。また、計数入賞口内に設けたカウントセンサ（図示せず）が遊技球の入賞を検出すると、継続入賞口への入賞球と合わせて、大入賞口１５への入賞球がカウントされ、これらが前記したように計１０個に達したか否かがチェックされる。なお、大入賞口１５に遊技球が入賞すると、他の入賞口１４Ａ，１４Ｂ，２０，２１への入賞時より多い所定数の遊技球が、上皿２７Ａに払い出される。以上が、遊技板１１の前面側に関する構成である。
【００４７】
図５に示すように、遊技板１１の後面には裏機構盤５２が取り付けられている。裏機構盤５２は、各入賞口１４Ａ，１４Ｂ，１５，２０，２１及びアウト口１６に入球した遊技球を遊技場に回収するための球通路（図示せず）を備えている。また、裏機構盤５２の後面に重ねて表示制御基板５１、ランプ・音声制御基板５０及び主制御基板４９が取り付けられている。なお、前記各制御基板４９〜５１は、それぞれ透明な樹脂ケースに収容されている。
【００４８】
以上が、遊技板側アッシを構成する各部品の説明である。次いで、内枠側アッシについて説明すると、内枠７５は、外枠８２の前面のうち前面板８４より上方部分に対応した矩形構造をなしている（図９参照）。
【００４９】
図８に示すように、内枠７５のうち、パチンコ遊技機１０の正面視左側の側辺には、上下１対のヒンジ部７６，７６が備えられている。このヒンジ部７６，７６と外枠８２のヒンジ部８５，８５とが連結して、内枠７５が外枠８２の左側縁部を中心にして回動可能となっている。なお、内枠７５のうちヒンジ部７６，７６とは反対側の右側辺には、外枠係止具（図示せず）が備えられており、その外枠係止具が外枠８２に備えた係止片８６，８６（図５参照）と係止することで、内枠７５を外枠８２の内側に嵌め込んだ状態でロックすることができる。
【００５０】
また、内枠７５の前面のうちヒンジ部７６，７６とは反対側の右側辺には、後述するガラス扉９５と係止する扉係止具７４，７４が設けられている（図８参照）。
【００５１】
図８及び図９に示すように、内枠７５の中央部には、遊技板１１を嵌め込むための遊技板嵌合部７７が設けられている。遊技板嵌合部７７は、遊技板１１の形状に対応して略矩形状となっており、内枠７５を前後方向に貫通している。遊技板嵌合部７７のうち、内枠７５の後面側の開口縁からは抜止壁７７Ａが内側に張り出している。この抜止壁７７Ａにより、内枠７５の後面側への遊技板１１の抜け止めが図られている。そして、遊技板１１は、内枠７５の前面側（図９における紙面手前側）の開口から遊技板嵌合部７７に着脱可能となっている。
【００５２】
抜止壁７７Ａの所定位置には、位置決突部７７Ｂが一体形成されている。位置決突部７７Ｂは、抜止壁７７Ａから遊技板嵌合部７７の前面開口に向かって突出しており、先細りの円柱形状をなしている。遊技板嵌合部７７の内側に遊技板１１を嵌め込むと、遊技板１１の後面の所定位置に形成された位置決孔１１Ａ（図１５参照）に位置決突部７７Ｂが突入嵌合して、遊技板嵌合部７７内における遊技板１１の上下左右の移動が規制される。
【００５３】
また、遊技板嵌合部７７の内側に遊技板１１を嵌め込むと、遊技板１１の後面に固定された裏機構盤５２及び各制御基板４９〜５１（図５参照）が、内枠７５の後面側に突出する。これに対応して、内枠７５の後面には、裏機構盤５２の一部とランプ・音声制御基板５０及び表示制御基板５１を収容する樹脂製の裏カバー７０が取り付けられている（図５参照）。
【００５４】
図３に示すように、内枠７５の後面のうち裏カバー７０より下方には、払出制御基板５８と電源基板５４とが重ね合わされた状態で取り付けられている。払出制御基板５８は、主制御基板４９から受けた信号に基づき、球払出装置５５を駆動して、所定数の遊技球を上皿２７Ａ（図１及び図４を参照）に払い出させる。なお、払出制御基板５８と電源基板５４も、個々に透明な樹脂ケースに収容されている。
【００５５】
内枠７５の後面の上端部には遊技球タンク７１が設けられている。遊技球タンク７１は裏カバー７０に一体形成されており、遊技球タンク７１と球払出装置５５との間は、裏カバー７０に一体に設けられた球搬送路（図示せず）により連絡されている。
【００５６】
図４〜図６に示すように、内枠７５の前面にはガラス扉９５が回動可能に取り付けられている。ガラス扉９５のうち、パチンコ遊技機１０の正面視左側の側辺における上下両端部にはヒンジ部９９，９９が備えられており、それらヒンジ部９９，９９が、内枠７５の上端位置に備えたヒンジ部７６と遊技板嵌合部７７の下端位置に備えたヒンジ部７９（図８参照）とにそれぞれ連結している。これにより、ガラス扉９５が、内枠７５の左側縁部に連結され、内枠７５及び遊技板１１の前面に重ね合わされた閉鎖位置（図１及び図２に示す状態）と、内枠７５の前面を開放した開放位置（図６に示す状態）との間で回動可能となっている。
【００５７】
図６に示すように、ガラス扉９５の中央部には、遊技板１１の遊技領域Ｒ１に対応した窓９５Ｗが貫通形成されており、その窓９５Ｗが透明なガラス板９６にて塞がれている。そして、遊技者は、図１に示すように、パチンコ遊技機１０の前面側からガラス板９６を通して遊技板１１の前面に設けられた遊技領域Ｒ１を視認可能となっている。
【００５８】
図６及び図７に示すようにガラス扉９５の後面、即ち、閉鎖位置における内枠７５との対向面には、複数の金属補強板９４が敷設されている。これら金属補強板９４は、窓９５Ｗを囲むようにガラス扉９５の四辺に沿って延びており、このうち、ヒンジ部９９，９９とは反対側の右側辺に沿って延びた金属補強板９４には、上下１対の係止片９４Ａ，９４Ａが形成されている。その係止片９４Ａ，９４Ａが内枠７５に備えた扉係止具７４，７４（図８参照）と係止することで、ガラス扉９５が内枠７５に対して閉鎖位置にロックされる。
【００５９】
内枠７５の前面には鍵孔７２が設けられており、例えば、鍵孔７２に鍵を挿して左に回動操作すると、内枠７５に備えた扉係止具７４，７４が作動し、ガラス扉９５と内枠７５との間のロックが解除されてガラス扉９５が内枠７５に対して回動可能となる。また、鍵を右に回動操作すると、内枠７５に備えた外枠係止具（図示せず）が作動し、内枠７５と外枠８２との間のロックが解除されて、内枠７５が外枠８２に対して回動可能となる。
【００６０】
図２に示すように、ガラス扉９５の前面のうち、窓９５Ｗの上部及び両側部には装飾ランプ９７が設けられており、上端両角部にはスピーカ９８，９８が設けられている。また、ガラス扉９５のうち窓９５Ｗの下方には上皿２７Ａが設けられている。上皿２７Ａはパチンコ遊技機１０の前方に膨出しており、賞球として球払出装置５５（図５参照）から払い出された遊技球を収容する。
【００６１】
内枠７５の前面のうち、ガラス扉９５の下方には下皿２７Ｂが設けられ、パチンコ遊技機１０の正面視右側の端部には、操作ノブ２８が設けられている。下皿２７Ｂは、上皿２７Ａと同様にパチンコ遊技機１０の前方に膨出しており、上皿２７Ａに遊技球が入り切らなくなった場合に、球払出装置５５（図５参照）から払い出された遊技球を収容する。また、操作ノブ２８を操作することで、上皿２７Ａに収容された遊技球が遊技板１１上に向けて弾き出され、遊技の進行状況に応じて、装飾ランプ９７及びスピーカ９８が駆動される。
【００６２】
なお、上皿２７Ａに備えた球移動ボタン２９を押すと、内枠７５に備えた連絡路を通って上皿２７Ａから下皿２７Ｂに遊技球が移動する。また、上皿２７Ａには、球移動ボタン２９の他に、遊技に使用するための遊技ボタン３０，３１が備えられている（図２参照）。
【００６３】
図７に示すように、ガラス扉９５の後面に敷設された金属補強板９４のうち、ガラス扉９５の下辺に沿って延びた金属補強板９４は、ガラス扉９５の後面から内枠７５に向かって張り出している。この金属補強板９４は、ガラス扉９５が閉鎖位置になった状態で、ガラス扉９５と内枠７５との間の隙間を塞ぐ。そして、例えば、上皿２７Ａや下皿２７Ｂの球出入口から不正に針金が挿し込まれた場合に、その針金が遊技領域Ｒ１に侵入することを金属補強板９４によって防止することが可能となっている。
【００６４】
さて、内枠７５は、以下に説明する抜け止め構造を備え、内枠７５の前面側への遊技板１１の抜け止めが図られている。
【００６５】
図９に示すように、遊技板嵌合部７７のうち、ガラス扉９５の回動中心に近い左側辺には、１対の固定抜止部１３０，１３０が設けられている。固定抜止部１３０，１３０は遊技板嵌合部７７の上辺寄り位置と下辺寄り位置とに配設され、遊技板嵌合部７７の内側領域に向かって突出している。遊技板嵌合部７７の内側に遊技板１１が嵌め込まれた場合、遊技板１１の前面に固定抜止部１３０，１３０が対向配置され、遊技板１１が固定抜止部１３０，１３０と抜止壁７７Ａとの間で挟まれる（図１４参照）。
【００６６】
内枠７５の前面における右上角部には、上部係止部材１２０が備えられている。上部係止部材１２０は、内枠７５の前面に直交した軸部１２３によって係止板１２１を回動可能に軸支した構成となっている。上部係止部材１２０は、回動可能範囲の一端位置（図９に示す位置）で、係止板１２１が遊技板嵌合部７７の開口縁から内側に張り出して遊技板１１の前面と係止する一方、回動可能範囲の他端位置で係止板１２１が遊技板嵌合部７７の外側に退避して遊技板１１との係止状態を解除する。
【００６７】
遊技板嵌合部７７における下辺側の開口縁には、本発明に係る遊技板固定機構１００が設けられている。図１０に示すように、遊技板固定機構１００は、遊技板嵌合部７７の下辺の右端寄り部分を深溝形に陥没させた機構受容部７３に受容されている。機構受容部７３は、横幅より奥行が大きくかつ、奥行より深さが大きくなった直方体状の陥没空間となっている。また、機構受容部７３は、遊技板嵌合部７７の内側を向いた上面開口の他に、ガラス扉９５側を向いた前面開口を有している。なお、機構受容部７３の前面開口とは反対側の後端壁７３Ａ及び、遊技板嵌合部７７の下辺側の開口縁から張り出した抜止壁７７Ａは、内枠７５の後面に宛がわれた同一の補強用板金の一部で構成されている。
【００６８】
図１１に示すように、遊技板固定機構１００は、機構受容部７３の内側に固定されたブラケット１０１に、複数の金属部品を組み付けて構成されている。ブラケット１０１は、板金を機構受容部７３の陥没形状に合わせて溝形に折り曲げて形成されている。具体的には、パチンコ遊技機１０の左右方向で対向した１対の対向壁１０１Ａ，１０１Ａと、それら対向壁１０１Ａ，１０１Ａの下端部同士を連結した底壁１０１Ｂと、対向壁１０１Ａ，１０１Ａ及び底壁１０１Ｂに対してそれぞれ直角に折れ曲がった取付鍔壁１０１Ｃ，１０１Ｃ，１０１Ｃとを備えている。１対の対向壁１０１Ａ，１０１Ａは、機構受容部７３における左右１対の対向面に宛がわれ、底壁１０１Ｂは機構受容部７３の底面に宛がわれている。また、各取付鍔壁１０１Ｃには、ブラケット１０１を機構受容部７３の内側にビス止めするためのビス孔が設けられている（図１０参照）。ここで、ブラケット１０１は、対向壁１０１Ａ，１０１Ａの上端縁が機構受容部７３の上面開口における左右１対の横開口縁７３Ｂ，７３Ｂより下方になるように配置されている（図１６参照）。
【００６９】
ブラケット１０１のうち底壁１０１Ｂの中心部からはガイド支柱１０２が直角に起立している。ガイド支柱１０２は円柱形状をなし、対向壁１０１Ａ，１０１Ａ及び機構受容部７３の後端壁７３Ａと平行になっている。ガイド支柱１０２の上端部は、対向壁１０１Ａ，１０１Ａの上端縁より突出しかつ、機構受容部７３の横開口縁７３Ｂ，７３Ｂより下方に位置している（図１６参照）。
【００７０】
ガイド支柱１０２の外側には、コイルバネ１０３（本発明の「付勢部材」に相当する）が遊嵌されている。また、ガイド支柱１０２には、コイルバネ１０３の上方に重ねて可動板１０４が上下動可能に嵌合されている。可動板１０４は、弾性を有する板金を直角に折り曲げた構造をなし、板厚方向が上下方向を向いた昇降ベース１０８と、板厚方向が前後方向を向いた球押上部１０９とから構成されている。
【００７１】
昇降ベース１０８は前後方向に長い突片構造をなし、球押上部１０９に近い端部には、ガイド支柱１０２と略同径の円孔１０８Ａが貫通形成されている。その円孔１０８Ａをガイド支柱１０２が貫通すると共に、昇降ベース１０８とブラケット１０１の底壁１０１Ｂとの間にコイルバネ１０３が圧縮状態で挟まれている。即ち、コイルバネ１０３の弾発力によって可動板１０４全体が常時上向きに付勢されている。なお、昇降ベース１０８は、ブラケット１０１よりもガラス扉９５側に突出している（図１１（Ａ）参照）。
【００７２】
球押上部１０９は、昇降ベース１０８より幅狭の突片構造をなし、全体が機構受容部７３の内側に収容されている。詳細には、図１０（Ｂ）に示すように、前後方向ではガイド支柱１０２と機構受容部７３の後端壁７３Ａとの間に挟まれ、左右方向ではブラケット１０１における１対の対向壁１０１Ａ，１０１Ａ及び次述する１対の凹状形状部１１１，１１１に挟まれている。そして、球押上部１０９の上端部が、機構受容部７３の上面開口に臨んでいる。
【００７３】
昇降ベース１０８の上面には、本発明の「回動係止部材」に相当する可倒式係止レバー１１０が備えられている。可倒式係止レバー１１０は所定の形状に打ち抜いた板金を折り曲げて形成されている。可倒式係止レバー１１０は、板厚方向で対向配置された同一形状の１対の凹状形状部１１１，１１１と、それら凹状形状部１１１，１１１同士を連結した回動操作部１１５とを有している。各凹状形状部１１１，１１１は、遊技板嵌合部７７に嵌め込まれた遊技板１１の下縁部を、板厚方向で挟持可能な１対の板挟持部１１２，１１３と、それら１対の板挟持部１１２，１１３の下端部間を連絡した連絡部１１４とを有している。以下、遊技板１１を板厚方向で挟持したときに遊技板１１の前面に対向する板挟持部１１２を「係止突部１１２」といい、遊技板１１の後面に対向する板挟持部１１３を「離脱補助突部１１３」という。
【００７４】
各凹状形状部１１１，１１１のうち、係止突部１１２，１１２の上端部同士は板厚方向が上下方向を向いた突片構造の回動操作部１１５にて連結されている。即ち、各凹状形状部１１１，１１１は、板厚方向がパチンコ遊技機１０の左右方向を向きかつ係止突部１１２，１１２が回動操作部１１５の後端部側の両側縁から下方に直角曲げされた状態で連絡されている。また、回動操作部１１５は、係止突部１１２，１１２よりもガラス扉９５側に張り出している。
【００７５】
回動操作部１１５には遊技板当接部１１６が一体に備えられている。遊技板当接部１１６は、回動操作部１１５のうち、ガラス扉９５から離れた後端縁から下方に（連絡部１１４に向かって）直角に折れ曲がった突片構造をなし、係止突部１１２，１１２と平行に延びている。
【００７６】
可倒式係止レバー１１０は、ブラケット１０１に対して回動可能に軸支されている。具体的には、ブラケット１０１における１対の対向壁１０１Ａ，１０１Ａと、ガイド支柱１０２と、可倒式係止レバー１１０における各連絡部１１４，１１４とには、パチンコ遊技機１０の左右方向に貫通した軸挿通孔が形成されており、ブラケット１０１の両対向壁１０１Ａ，１０１Ａの間に可倒式係止レバー１１０の各連絡部１１４，１１４を挟んだ状態で、各軸挿通孔に回動中心シャフト１０５が挿通されている（図１１（Ｂ）参照）。これにより、可倒式係止レバー１１０は、遊技板嵌合部７７の下辺側の開口縁と平行な回動軸回りで回動可能となっている。
【００７７】
可倒式係止レバー１１０の下方には、上記した通り昇降ベース１０８及びコイルバネ１０３が配設されており、コイルバネ１０３の弾発力によって昇降ベース１０８が可倒式係止レバー１１０に押し付けられている。この構成により、可倒式係止レバー１１０は回動可能な範囲が制限されており、その回動可能範囲内で、パチンコ遊技機１０の前後方向に回動可能となっている。そして、回動可能範囲の一端位置、具体的には、図１２に示す回動可能範囲の後端位置（以下、「係止端位置」という）で遊技板１１を遊技板嵌合部７７に抜け止めし（図１５参照）、回動可能範囲の他端位置、具体的には、図１３に示す回動可能範囲の前端位置（以下、「解除端位置」という）で、遊技板１１の抜け止めを解除して遊技板嵌合部７７に着脱可能とする（図１６参照）。ここで、可倒式係止レバー１１０が係止端位置に位置するとき、遊技板固定機構１００は固定状態であり、可倒式係止レバー１１０が解除端位置に位置するとき、遊技板固定機構１００は固定解除状態である。
【００７８】
図１５に示す係止端位置では、可倒式係止レバー１１０の係止突部１１２，１１２が機構受容部７３の上面開口（遊技板嵌合部７７の下辺）から上方に突出する。そして、可倒式係止レバー１１０の遊技板当接部１１６が、遊技板嵌合部７７に嵌め込まれた遊技板１１の前面と当接する。このとき、回動操作部１１５は略水平となり、先端部が最も後退した位置になる。また、係止端位置では、各凹状形状部１１１，１１１における連絡部１１４，１１４の上縁が、機構受容部７３の上面開口における左右１対の横開口縁７３Ｂ，７３Ｂより下方に位置する。
【００７９】
一方、図１６に示す解除端位置では、係止突部１１２，１１２がガラス扉９５側に前傾した状態になり、係止突部１１２，１１２及び遊技板当接部１１６が遊技板嵌合部７７の下辺より下方に位置する。これにより、遊技板嵌合部７７に遊技板１１を着脱することが可能となる。また、回動操作部１１５は先端部に向かって下った傾斜姿勢となり、先端部が最も前方（ガラス扉９５側）に位置する。また、解除端位置では、離脱補助突部１１３，１１３が抜止壁７７Ａの前方に突出すると共に、機構受容部７３の上面開口（遊技板嵌合部７７の下辺）から上方に突出する。そして、連絡部１１４，１１４の上縁は離脱補助突部１１３，１１３から係止突部１１２，１１２に向かって下るように傾斜する。
【００８０】
離脱補助突部１１３は、連絡部１１４から離れた上端部に湾曲摺接部１１３Ａを備えている。湾曲摺接部１１３Ａは、回動中心シャフト１０５から離れるに従って係止突部１１２から離れるように（後方に向かって）湾曲している。
【００８１】
また、図１０に示すように、機構受容部７３の後端壁７３Ａ及び抜止壁７７Ａには、離脱補助突部１１３，１１３が通過可能な縦長のスリット７７Ｓ，７７Ｓが貫通形成されている。図１５に示す係止端位置では、離脱補助突部１１３，１１３が、スリット７７Ｓ，７７Ｓを貫通して後端壁７３Ａ及び抜止壁７７Ａの後方に退避する。そして、図１６に示す解除端位置に向かって回動する過程で、離脱補助突部１１３，１１３はスリット７７Ｓ，７７Ｓを通り抜けて後端壁７３Ａ及び抜止壁７７Ａの前方に突出する。
【００８２】
可倒式係止レバー１１０が係止端位置と解除端位置との間で回動すると、これに伴って可動板１０４が上下動する。具体的には、可倒式係止レバー１１０のうち連絡部１１４の下縁は、可倒式係止レバー１１０の回動軸（回動中心シャフト１０５）を中心とした円弧部１１４Ａと、円弧部１１４Ａと連続した平坦部１１４Ｂと、円弧部１１４Ａと平坦部１１４Ｂとが交差してなる角部１１４Ｃとを備えている。また、可倒式係止レバー１１０の回動軸から平坦部１１４Ｂに延ばした垂線の長さよりも、円弧部１１４Ａの半径の方が長くなっている。
【００８３】
図１２（Ａ）に示すように、係止端位置では平坦部１１４Ｂが昇降ベース１０８の上面と当接し、コイルバネ１０３の弾発力によって可倒式係止レバー１１０が係止端位置に維持される。また、図１３（Ａ）に示すように、解除端位置では、円弧部１１４Ａが昇降ベース１０８の上面と当接し、それらの間の摩擦とコイルバネ１０３の弾発力とによって可倒式係止レバー１１０が解除端位置に維持される。
【００８４】
係止端位置では可動板１０４全体が上下動ストロークの上端位置に押し上げられ、コイルバネ１０３の弾性変形量が最小になる。
【００８５】
係止端位置において、球押上部１０９の上端部は、ガイド支柱１０２の上端とほぼ同じ高さに位置する。即ち、球押上部１０９の上端部は、ブラケット１０１の対向壁１０１Ａ，１０１Ａの上端縁より突出しかつ、機構受容部７３の上面開口より下方に位置する（図１５参照）。これにより、球押上部１０９の上端部は、常に機構受容部７３の上面開口より下方に位置することになる。
【００８６】
可倒式係止レバー１１０が係止端位置から解除端位置に向かって回動した場合、昇降ベース１０８と当接する部位が平坦部１１４Ｂ、角部１１４Ｃ、円弧部１１４Ａの順番で変化する。そして、昇降ベース１０８と当接する部位が、平坦部１１４Ｂから円弧部１１４Ａに切り替わる間、即ち、昇降ベース１０８に角部１１４Ｃが摺接している間に、可動板１０４全体が徐々に押し下げられる。これに伴い、コイルバネ１０３の弾性変形量が増大する。
【００８７】
そして、昇降ベース１０８に円弧部１１４Ａが当接しているとき、即ち、可倒式係止レバー１１０が解除端位置に位置するとき、可動板１０４が最も押し下げられて、コイルバネ１０３の弾性変形量が最大になる。
【００８８】
このとき、球押上部１０９の上端部はガイド支柱１０２より低くなり、ブラケット１０１の対向壁１０１Ａ，１０１Ａの上端縁とほぼ同じ位置となる（図１６参照）。そして、解除端位置では、機構受容部７３の上方、詳細には、１対の離脱補助突部１１３，１１３とガイド支柱１０２と抜止壁７７Ａとの間に、遊技球が１つだけ滞留し得る本発明に係る「滞球留部」が形成される。なお、本発明に係る「球押上部」は、遊技球が滞留し得る球滞留部の下方に設けられていればよく、本実施形態のように１対の離脱補助突部１１３，１１３とガイド支柱１０２と抜止壁７７Ａとの間に形成された「球滞留部」の下方に配置するものに限定するものではない。さらに、「球滞留部」は、遊技球がその場から動かずそのまま残り得る構成であればよく、必ずしも遊技球が嵌まり込むような構成でなくてもよい。また、本実施形態において、球押上部１０９は、支柱１０２と抜止壁７７Ａとの間に配置されて、遊技球が支柱１０２と抜止壁７７Ａとの間に形成された空間の奥深くへと入り込む（嵌まり込む）のを防止している。即ち、球押上部が遊技板固定機構もしくは、機構受容部内にへの遊技球の嵌まり込みを防止する球嵌り込み防止部を構成している。
【００８９】
ここで、可倒式係止レバー１１０における連絡部１１４の下縁と、昇降ベース１０８と、コイルバネ１０３は、本発明の「動作変換機構」に相当する。
【００９０】
ここで、図８に示すように、遊技板嵌合部７７から遊技板１１を離脱させかつ、可倒式係止レバー１１０の角部１１４Ｃを昇降ベース１０８に突き当てた状態にして、可倒式係止レバー１１０から手を離すと、可倒式係止レバー１１０はコイルバネ１０３の弾発力によって自動的に係止端位置に移動する。また、遊技板嵌合部７７から遊技板１１を離脱させかつ、可倒式係止レバー１１０の円弧部１１４Ａを昇降ベース１０８に当接させた状態にして、可倒式係止レバー１１０から手を離すと、可倒式係止レバー１１０は昇降ベース１０８との間の摩擦力によってその位置で停止する。
【００９１】
可倒式係止レバー１１０を解除端位置から係止端位置に切り換える際には、可動板１０４を押し下げることがないので、比較的小さい操作力で切り替えを行うことができる。これに対し、係止端位置から解除端位置に切り換える際には、コイルバネ１０３の弾発力に抗して可動板１０４を押し下げる必要があるので、比較的大きな操作力が必要になる。即ち、解除端位置から係止端位置への切り替えを容易としつつ、係止端位置から解除端位置への切り替えが意図せず起きないように構成されている。
【００９２】
ガラス扉９５の後面のうち、ガラス扉９５を閉鎖位置にしたときに遊技板固定機構１００と対向する部分には、板金を折り曲げて形成された扉側当接部材９３が固定されている。図７（Ａ）に示すように、扉側当接部材９３は、ガラス扉９５の下辺に沿って設けられた金属補強板９４に一体に設けられている。図７（Ｂ）に示すように、扉側当接部材９３は、金属補強板に宛がわれた固定壁９３Ｅと、固定壁９４Ｅの上端部で直角に折れ曲がってガラス扉９５から内枠７５の前面に向かって突出した水平突出壁９３Ａと、水平突出壁９３Ａの先端部から直角に起立した先端起立壁９３Ｂと、水平突出壁９３Ａの左右方向の一側辺から直角に起立した側部起立壁９３Ｃとを有している。
【００９３】
より詳細には、水平突出壁９３Ａは、パチンコ遊技機１０の前後方向に対して左右方向が長い横長形状をなしている。先端起立壁９３Ｂは、水平突出壁９３Ａの長手方向の一側部、具体的には、ガラス扉９５を裏面側から見て右側に偏在しており、左右方向に対して上下方向が短い横長形状をなしている。先端起立壁９３Ｂの左右方向の幅は、可倒式係止レバー１１０における回動操作部１１５の左右方向の幅よりも大きくなっている。また、側部起立壁９３Ｃは、水平突出壁９３Ａのうち、ガラス扉９５を裏面側から見て右側の側辺から起立し、上下方向で先端起立壁９３Ｂよりも大きくなっている。
【００９４】
本実施形態のパチンコ遊技機１０の構成は以上であって、次に、本実施形態の動作について説明する。遊技板１１を内枠７５に取り付ける場合には、まず、ガラス扉９５を開放状態にする。次いで、上部係止部材１２０を係止解除位置にすると共に、遊技板固定機構１００を固定解除状態、詳細には、可倒式係止レバー１１０を手前側（パチンコ遊技機１０の前面側）に倒して解除端位置にする。
【００９５】
次いで、図１４（Ａ）から同図（Ｂ）への変化に示すように、遊技板１１の左側辺を、固定抜止部１３０，１３０と抜止壁７７Ａとの間の隙間に斜め側方から挿入して一側部嵌合状態にしてから、遊技板１１の左側辺を中心軸にして遊技板１１の右側辺を遊技板嵌合部７７に近づけるように回動させる。このとき、可倒式係止レバー１１０は、図１６に示すように解除端位置になっているので、遊技板１１と係止突部１１２，１１２とが干渉することはない。
【００９６】
遊技板１１の右側辺を遊技板嵌合部７７に近づけるように回動させると図１６に示すように、遊技板１１の後面に離脱補助突部１１３，１１３が当接する。この時点では、遊技板１１の全体が遊技板嵌合部７７に嵌合した状態（完全嵌合状態）ではなく、依然として、遊技板１１の右側辺が遊技板嵌合部７７の前面開口側に押し出された一側部嵌合状態である。ここで、遊技板１１は、一側部嵌合状態で遊技板嵌合部７７の下辺に支持され、遊技板嵌合部７７との間の摩擦によって一側部嵌合状態になる位置から完全嵌合状態になる位置までの任意の位置で停止可能となる。よって、一側部嵌合状態とした後で遊技板１１から手を離した場合でも、一側部嵌合状態のまま遊技板１１を内枠７５に保持させることができる。また、一側部嵌合状態の遊技板１１の下縁部に係止することで、可倒式係止レバー１１０も開始端位置と解除端位置との間で停止可能となる。
【００９７】
遊技板１１を一側部嵌合状態から完全嵌合状態にするには、遊技板１１を遊技板嵌合部７７に押し込むか、或いは、可倒式係止レバー１１０を起こすように回動操作して、解除端位置から係止端位置に切り換える。遊技板１１を押し込んだ場合には、離脱補助突部１１３，１１３が遊技板１１に押されることで、可倒式係止レバー１１０が係止端位置に向かって回動する。そして、遊技板１１が完全嵌合状態になると、離脱補助突部１１３，１１３が抜止壁７７Ａの後側に退避して、可倒式係止レバー１１０が係止端位置になり、遊技板当接部１１６が遊技板１１の前面に当接して抜止壁７７Ａとの間で遊技板１１を挟んだ状態になる（図１５に示す状態）。
【００９８】
一方、可倒式係止レバー１１０を手動操作して係止端位置に移動させた場合には、遊技板当接部１１６が遊技板１１の下端縁と係合しかつ後方に押すことで、遊技板１１の全体が遊技板嵌合部７７に嵌め込まれる。
【００９９】
遊技板１１を完全嵌合状態にすると、可倒式係止レバー１１０がコイルバネ１０３の弾発力によって係止端位置に維持される。また、球押上部１０９は、常に、機構受容部７３の上面開口より下方に位置しているので、遊技板１１と干渉することはなく、スムーズに完全嵌合状態にすることができる。
【０１００】
遊技板１１を完全嵌合状態、換言すれば、可倒式係止レバー１１０を係止端位置にしたら、上部係止部材１２０を係止位置に切り換える。これにより、固定抜止部１３０，１３０と遊技板固定機構１００と上部係止部材１２０とが協働して遊技板１１を遊技板嵌合部７７に抜け止めする。なお、本実施形態では、上部係止部材１２０を備えているが、遊技板固定機構１００と固定抜止部１３０，１３０だけを備えた構成でも、遊技板１１を抜け止めすることが可能である。
【０１０１】
遊技板嵌合部７７に遊技板１１を抜け止めしたら、ガラス扉９５を内枠７５に対して閉鎖位置にして、ガラス扉９５の係止片９４Ａ，９４Ａと内枠７５に備えた扉係止具７４，７４とを係止させる（ガラス扉９５を閉鎖位置にロックする）。このとき、図１７（Ａ）から同図（Ｂ）への変化に示すように、扉側当接部材９３は、係止端位置に位置する可倒式係止レバー１１０の回動操作部１１５と可動板１０４との間に進入し、係止突部１１２，１１２の前縁部に突き当たる。
【０１０２】
ここで、ガラス扉９５を閉鎖位置にしたときに、扉側当接部材９３が可倒式係止レバー１１０における回動操作部１１５の下方に配置されかつ係止突部１１２，１１２に突き当たるようにしたことで、可倒式係止レバー１１０の解除端位置への回動を確実に禁止することができる。これにより、ガラス扉９５を閉鎖位置にしたままで、可倒式係止レバー１１０を解除端位置に切り換えるという不正行為を防止することができる。以上が、遊技板１１を内枠７５に取り付けるときの操作の説明である。
【０１０３】
遊技板１１を内枠７５（遊技板嵌合部７７）から取り外す場合は、取り付ける場合と逆の操作を行えばよい。即ち、ガラス扉９５を開いて上部係止部材１２０を係止解除位置にし、次に、遊技板固定機構１００を固定解除状態、具体的には、可倒式係止レバー１１０を手前側に倒して係止端位置（図１５に示す状態）から解除端位置（図１６に示す状態）に切り換える。
【０１０４】
可倒式係止レバー１１０を係止端位置から解除端位置に切り替える際には、ブラケット１０１から前方に張り出した昇降ベース１０８と可倒式係止レバー１１０の回動操作部１１５とを指で挟んで持ち、可倒式係止レバー１１０の角部１１４Ｃを支点として昇降ベース１０８を上方に反らせる。すると、可倒式係止レバー１１０が手前側に回動可能となり、可倒式係止レバー１１０がコイルバネ１０３の弾発力に抗して可動板１０４の全体を押し下げながら解除端位置まで回動する。
【０１０５】
図１５から図１６への変化に示すように、可倒式係止レバー１１０が係止端位置から解除端位置に向かって回動すると、離脱補助突部１１３，１１３がスリット７７Ｓ，７７Ｓを通って抜止壁７７Ａの前面側に突出し、遊技板１１の後面に突き当たって遊技板１１を遊技板嵌合部７７の前面開口へと押し出す。即ち、可倒式係止レバー１１０の解除操作を行うことで、遊技板１１の右側部が遊技板嵌合部７７の前面開口側に押し出されて、完全嵌合状態から一側部嵌合状態に変化する。なお、このとき、離脱補助突部１１３，１１３の湾曲摺接部１１３Ａ，１１３Ａが遊技板１１と摺接するので、離脱補助突部１１３，１１３と遊技板１１とが引っ掛かることなくスムーズに押し出すことができる。
【０１０６】
可倒式係止レバー１１０を解除端位置にしたら、一側部嵌合状態になった遊技板１１のうち手前側に迫り出した右側部を把持し、遊技板１１の左側部を中心にして遊技板１１を手前側（遊技板嵌合部７７の前方）に回動させ、さらに、遊技板１１を斜め右側方に水平移動させて、固定抜止部１３０，１３０と抜止壁７７Ａとの間の隙間から遊技板１１の左側辺を抜き取る。これにより、内枠７５から遊技板１１が離脱する。
【０１０７】
ここで、内枠７５から遊技板１１を離脱させた後、可倒式係止レバー１１０を解除端位置にしたままガラス扉９５を閉鎖位置に向けて回動させた場合は、以下のようになる。即ち、図１８（Ａ）から同図（Ｂ）への変化に示すように、扉側当接部材９３は、可倒式係止レバー１１０と接触することなく係止突部１１２，１１２の上方を通過し、係止突部１１２，１１２と離脱補助突部１１３，１１３との間に進入する。そして、ガラス扉９５は閉鎖位置になる。つまり、内枠７５から遊技板１１を離脱させた場合には、可倒式係止レバー１１０が解除端位置であってもガラス扉９５を閉鎖位置にすることができる。
【０１０８】
遊技板１１が一側部嵌合状態でかつ可倒式係止レバー１１０を解除端位置としたまま、ガラス扉９５を閉鎖位置に向けて回動させた場合には、以下のようになる。即ち、遊技板１１の右側部が遊技板嵌合部７７の前面開口側に押し出されているため、図１９に示すように、扉側当接部材９３が遊技板１１に突き当たって遊技板１１を遊技板嵌合部７７の奥へと押し込むと共に、その遊技板１１に押されて可倒式係止レバー１１０が解除端位置から若干回動する。しかしながら、扉側当接部材９３が、係止突部１１２，１１２の上方（換言すれば、係止突部１１２，１１２の回動領域内）に進入するため、その扉側当接部材９３との干渉によって可倒式係止レバー１１０、遊技板１１、ガラス扉９５が全て途中で動かなくなる。即ち、可倒式係止レバー１１０を係止端位置にすることが不可能となり、遊技板１１を完全嵌合状態にすることが不可能となって、ガラス扉９５を閉鎖位置にすることも禁止される。
【０１０９】
ここで、上記したように、遊技板１１は、一側部嵌合状態になる位置から完全嵌合状態になる位置までの任意の位置で停止可能なので、その遊技板１１の下端縁と係合することで、可倒式係止レバー１１０も係止端位置と解除端位置との間で停止可能となる。
【０１１０】
そして、可倒式係止レバー１１０を係止端位置に向けて回動操作したものの、その操作が不十分で、可倒式係止レバー１１０が解除端位置と係止端位置との間で停止させたまま（換言すれば、遊技板１１を一側部嵌合状態にしたまま）、ガラス扉９５を閉鎖位置に向けて回動させた場合には、可倒式係止レバー１１０の停止位置に応じて、ガラス扉９５を閉鎖可能な場合と閉鎖不可能な場合とに分かれる。
【０１１１】
具体的には、図２０（Ｂ）に示すように、可倒式係止レバー１１０における回動操作部１１５の先端が、扉側当接部材９３における先端起立壁９３Ｂの下端縁９３Ｂ１より下側に位置している場合には、ガラス扉９５を閉鎖位置に近づける過程で、扉側当接部材９３（詳細には、水平突出壁９３Ａと先端起立壁９３Ｂとが交差したコーナー湾曲部９３Ｄ）が回動操作部１１５の上面に突き当たって摺接する。このとき、可倒式係止レバー１１０は、コーナー湾曲部９３Ｄによって下方に押されて、解除端位置に向かって回動する。この場合は、ガラス扉９５を閉鎖位置に近づけても、前述したように、遊技板１１と可倒式係止レバー１１０と扉側当接部材９３とが相互に干渉し合うため、可倒式係止レバー１１０、遊技板１１、ガラス扉９５が途中で全て動かなくなり、ガラス扉９５を閉鎖位置にすることが禁止される（図１９参照）。
【０１１２】
一方、図２０（Ａ）に示すように、可倒式係止レバー１１０における回動操作部１１５の先端が、扉側当接部材９３における先端起立壁９３Ｂの下端縁９３Ｂ１と上端縁９３Ｂ２との間に位置している場合には、ガラス扉９５を閉鎖位置に近づけたときに、扉側当接部材９３の先端起立壁９３Ｂが回動操作部１１５の先端に突き当たる。そして、ガラス扉９５が閉鎖位置に近づくに従って、回動操作部１１５の先端が先端起立壁９３Ｂと摺接しながら押し上げられて、可倒式係止レバー１１０が係止端位置に向かって回動する。また、回動操作部１１５の先端が先端起立壁９３Ｂの上端縁９３Ｂ２より上方に移動すると、先端起立壁９３Ｂは係止突部１１２，１１２に当接する（図１７（Ａ）参照）。そして、係止突部１１２，１１２が扉側当接部材９３に押されることで、可倒式係止レバー１１０が係止端位置にされる。これによりガラス扉９５が閉鎖位置になる。
【０１１３】
なお、図示しないが、可倒式係止レバー１１０における回動操作部１１５の先端が、当初から扉側当接部材９３における先端起立壁９３Ｂの上端縁９３Ｂ２より上方に位置していた場合も、ガラス扉９５を閉鎖位置に向けて回動させることで、係止突部１１２，１１２が扉側当接部材９３に押され、可倒式係止レバー１１０を係止端位置に移動させてガラス扉９５を閉鎖位置にすることができる。
【０１１４】
以上、内枠７５に対する遊技板１１の着脱操作について説明したが、ここで、例えば、可倒式係止レバー１１０を解除端位置にして、内枠７５から遊技板１１を離脱させる際に、遊技板１１（又は裏機構盤５２）に残留していた遊技球Ｑ１がこぼれ落ち、図２１（Ａ）、図２３（Ａ）及び図２５（Ａ）に示すように、１対の離脱補助突部１１３，１１３とガイド支柱１０２と抜止壁７７Ａとの間に形成された球滞留部に、遊技球Ｑ１が滞留する（その場に留まり残る）ことが起こり得る。
【０１１５】
この状態では、可倒式係止レバー１１０（詳細には、係止突部１１２と離脱補助突部１１３との間）に遊技板１１の下縁部を挟んで保持することができず、遊技板１１を遊技板嵌合部７７に対して完全嵌合状態（図１５に示す状態）にすることが不可能になる。仮に、完全嵌合状態にできたとしても、球滞留部に遊技球Ｑ１が入ったまま放置しておくことは、パチンコ遊技機１０の動作不良の原因となり得るため好ましくない。
【０１１６】
これに対し、本実施形態のパチンコ遊技機１０では、以下の操作を行うことで球滞留部に滞留した遊技球Ｑ１を容易に取り出すことができる。具体的には、可倒式係止レバー１１０を解除端位置から係止端位置に戻す。すると、図２３（Ｂ）に示すように可動板１０４全体が上方に移動して、球押上部１０９が球滞留部に滞留した遊技球Ｑ１を上方に押し上げる。また、場合によっては押し上げた遊技球Ｑ１を跳ね上げる。これにより、遊技球Ｑ１の少なくとも一部が遊技板固定機構１００の外部に押し出される。
【０１１７】
詳細には、可倒式係止レバー１１０が係止端位置になると、球押上部１０９の上端部が、凹状形状部１１１，１１１の連絡部１１４の上縁より突出し、図２１（Ｂ）から同図（Ｃ）（又は図２５（Ｂ）から同図（Ｃ））への変化に示すように、遊技球Ｑ１は左右の何れかに移動して、機構受容部７３の上面開口における左右１対の横開口縁７３Ｂ，７３Ｂの一方と球押上部１０９の上端縁との間で支持される。このとき、遊技球Ｑ１は解除端位置のときより上方に持ち上げられかつ、機構受容部７３における左右の一方側に寄っているので、遊技球Ｑ１を手指で触れたり摘んだりすることが容易となり、球滞留部から遊技球Ｑ１取り除く作業が行い易くなる。ここで、球押上部１０９が遊技球Ｑ１を押し上げて、遊技球Ｑ１が横開口縁７３Ｂと球押上部１０９の上端縁との間で支持された状態（図２５（Ｃ）に示す状態）では、遊技球Ｑ１の一部が遊技板固定機構１００の上方及び側方に押し出されて露出している。
【０１１８】
また、球押上部１０９によって遊技球Ｑ１が跳ね上げられた場合、その遊技球Ｑ１がそのまま機構受容部７３の側方に排除されることも起こり得る。この場合には、遊技球Ｑ１を手指を使って取り除く必要が無くなる。なお、機構受容部７３の側方に排除された遊技球Ｑ１が内枠７５の前面側を通って下皿２７Ｂに入るように構成してもよい。
【０１１９】
また、上記操作に続いて以下の操作を行うことで、球滞留部から遊技球Ｑ１を排除してもよい。即ち、可倒式係止レバー１１０を、再度、解除端位置に向けて回動操作すると、図２１（Ｃ）から図２２（Ｂ）への変化、及び、図２３（Ｃ）から図２４（Ｂ）への変化、及び、図２５（Ｃ）から図２６（Ｂ）への変化に示すように、遊技球Ｑ１が凹状形状部１１１，１１１における連絡部１１４に押され、横開口縁７３Ｂに沿ってガイド支柱１０２の側方を通過し、ガイド支柱１０２と前傾姿勢になった遊技板当接部１１６との間に移動する。このとき、連絡部１１４と横開口縁７３Ｂは遊技球がガイド支柱１０２と遊技板当接部１１６との間に移動するための球流路を構成する。
【０１２０】
ガイド支柱１０２と遊技板当接部１１６との間に移動した遊技球Ｑ１を取り除く場合は、指で掻き出せばよい。このとき、遊技球Ｑ１は、球押上部１０９と横開口縁７３Ｂとの間で支持されている状態（図２１（Ｂ），図２３（Ｂ）及び図２５（Ｂ）に示す状態）に比べて、容易に取り除くことができる。その理由は、遊技球Ｑ１がガイド支柱１０２より手前側に位置しているので手指が届き易く、ガイド支柱１０２と遊技板当接部１１６との間隔が比較的広いので手指を動かし易いからである。
【０１２１】
なお、例えば、ガイド支柱１０２と遊技板当接部１１６との間に遊技球Ｑ１が入った状態で、可倒式係止レバー１１０を係止端位置に向けて回動させた場合には、遊技球Ｑ１が遊技板当接部１１６に押されてガイド支柱１０２の側方（上記「球流路」）を通り、図２１（Ｃ），図２３（Ｃ），図２５（Ｃ）に示すように、機構受容部７３の上面開口における横開口縁７３Ｂと遊技板固定機構１００との間で保持される。
【０１２２】
このように、本実施形態のパチンコ遊技機１０によれば、可倒式係止レバー１１０が解除端位置から係止端位置へと回動する動作に連動して球押上部１０９が上昇し、機構受容部７３の上方に滞留した遊技球を上方に押し上げるので、遊技球を容易に取り除くことが可能となる。
【０１２３】
また、可倒式係止レバー１１０を解除端位置から係止端位置にし、再度、解除端位置に変化させることで、ガイド支柱１０２より球押上部１０９側に滞留している遊技球を、ガイド支柱１０２と遊技板当接部１１６との間のよりも取り除き易い位置に移動させることができ、この位置で遊技球を取り除くことができる。
【０１２４】
また、遊技板１１を離脱させた状態では、コイルバネ１０３の弾発力により、任意の回動位置の可倒式係止レバー１１０を、係止端位置に移動させることができる。また、このコイルバネ１０３の弾発力により、可倒式係止レバー１１０が係止端位置に向かって回動する際に、球押上部１０９を機構受容部７３内で上昇させることができる。即ち、１つのコイルバネ１０３によって、可倒式係止レバー１１０と球押上部１０９とをそれぞれ付勢することができ、部品の兼用化を図ることができる。
【０１２５】
また、可倒式係止レバー１１０を係止端位置から解除端位置へと回動操作することで、離脱補助突部１１３，１１３が、完全嵌合状態の遊技板１１を遊技板嵌合部７７から押し出して一側部嵌合状態にすることができるので、遊技板嵌合部７７からの遊技板１１の取り出しを容易に行うことが可能となる。
【０１２６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【０１２７】
（１）前記実施形態ではパチンコ遊技機１０に本発明を適用していたが、遊技板１１を遊技板収容枠（内枠７５）に嵌め込んで抜け止めする遊技機であれば、コイン遊技機やスロットマシン等に本発明を適用してもよい。
【０１２８】
（２）前記実施形態では、球押上部１０９が板厚方向が前後方向を向いた突片構造をなしていたが、軸構造をなしていてもよい。また、球押上部１０９の上端縁を、左右方向の中央から両側に向かって下るように傾斜させて、球押上部１０９の上方に滞留した遊技球を球押上部１０９が押し上げる際に、機構受容部７３の上面開口における左右何れか一方の横開口縁７３Ｂ側に遊技球を移動させるようにしてもよい。
【０１２９】
（３）前記実施形態では、可倒式係止レバー１１０に、離脱補助突部１１３，１１３を一体に設けていたが、離脱補助突部を無くした構成でもよい。
【０１３０】
（４）前記実施形態では、ガイド支柱１０２より球押上部１０９側に位置する遊技球が、可倒式係止レバー１１０を解除端位置に回動させることで、ガイド支柱１０２と前傾姿勢になった遊技板当接部１１６との間に移動するように構成していたが、可倒式係止レバー１１０に押されて、機構受容部７３の側方に排除されるようにしてもよい。
【０１３１】
（５）前記実施形態では、球押上部１０９を昇降ベース１０８と一体的に形成していたが、可倒式係止レバー１１０の回動と連動して駆動源（例えば、モータ、本発明の「動作変換機構」に相当する）の駆動により球滞留部に滞留している遊技球を押し上げるようにしてもよい。
【０１３２】
（６）前記実施形態では、遊技板固定機構１００を遊技板嵌合部７７の下辺側の開口縁に設けたものを例示したが、遊技板固定機構１００に遊技球が滞留し得る位置に設けられていれば、遊技板嵌合部７７の設置位置を遊技板嵌合部７７の下辺側の開口縁に限定するものではない。
【０１３３】
（７）前記実施形態では、可倒式係止レバー１１０の回動軸を遊技板嵌合部７７の開口縁と平行に設けていたが、これに限定するものではなく、例えば、開口縁に対して斜めに設けてもよい。
【符号の説明】
【０１３４】
１０    パチンコ遊技機
１１    遊技板
７３    機構受容部
７３Ｂ，７３Ｂ    横開口縁
７７    遊技板嵌合部
１００    遊技板固定機構
１０２    ガイド支柱
１０３    コイルバネ（付勢部材）
１０４    可動板
１０５    回動中心シャフト
１０８    昇降ベース
１０９    球押上部
１１０    可倒式係止レバー（回動係止部材）
１１１    凹状形状部
１１２    板挟持部
１１３    板挟持部
１１４    連絡部
１１４Ａ    円弧部
１１４Ｂ    平坦部
１１４Ｃ    角部
１１６    遊技板当接部
【図１】
2011010774.tif 000003
【図２】
2011010774.tif 000004
【図３】
2011010774.tif 000005
【図４】
2011010774.tif 000006
【図５】
2011010774.tif 000007
【図６】
2011010774.tif 000008
【図７】
2011010774.tif 000009
【図８】
2011010774.tif 000010
【図９】
2011010774.tif 000011
【図１０】
2011010774.tif 000012
【図１１】
2011010774.tif 000013
【図１２】
2011010774.tif 000014
【図１３】
2011010774.tif 000015
【図１４】
2011010774.tif 000016
【図１５】
2011010774.tif 000017
【図１６】
2011010774.tif 000018
【図１７】
2011010774.tif 000019
【図１８】
2011010774.tif 000020
【図１９】
2011010774.tif 000021
【図２０】
2011010774.tif 000022
【図２１】
2011010774.tif 000023
【図２２】
2011010774.tif 000024
【図２３】
2011010774.tif 000025
【図２４】
2011010774.tif 000026
【図２５】
2011010774.tif 000027
【図２６】
2011010774.tif 000028